(57)【要約】【課題】支柱を用いて複数の植木鉢を上下方向で多段積層植木鉢を吊下げることができ、持ち運びや組み立てが容易で、且つディスプレイ性の高い多段積層植木鉢の吊下げ用装飾器材を提供する。【解決手段】多段積層植木鉢の吊下げ用装飾器材１は、台座部２と、下端が台座部２に着脱可能に接続されて垂直方向に伸長する複数の柱状体３と、柱状体３の上端側に着脱可能に接続される屋根部４と、を備える。屋根部４は、複数の植木鉢を上下方向で多段に積層した多段積層植木鉢を係止可能とする構造を有し、台座部２には、植栽可能な植栽スペースＳが形成される。この構成により、吊下げ用装飾器材１は、支柱を用いて複数の植木鉢を上下方向で多段積層植木鉢を吊下げることができ、持ち運びや組み立てが容易で、且つディスプレイ性が非常に高いものとなる。【選択図】図１
0003232590.tif 000002
【実用新案登録請求の範囲】
【請求項１】
台座部と、
下端が前記台座部に着脱可能に接続されて垂直方向に伸長する複数の柱状体と、
前記柱状体の上端側に着脱可能に接続される屋根部と、を備え、
前記屋根部は、複数の植木鉢を上下方向で多段に積層した多段積層植木鉢を係止可能とする構造を有し、
前記台座部には、植栽可能な植栽スペースが形成される、ことを特徴とする多段積層植木鉢の吊下げ用装飾器材。
【考案の詳細な説明】
【技術分野】
【０００１】
本考案は、複数の植木鉢を、支柱を用いて上下方向に積層可能な多段積層植木鉢の吊下げ用装飾器材に関する。
【背景技術】
【０００２】
近年、屋外緑化のみでなく、建物や構築物の屋内に植物を設置する屋内緑化が盛んになってきている。屋内緑化による効果は様々であり、緑に囲まれた空間にすることによりリラックス感の向上、屋内環境のアメニティの向上、癒し効果などが生じる。また、これら以外にも、空気の浄化効果、冬季の空気乾燥に対する天然の加湿などの効果を有する。
【０００３】
ところで、複数の植木鉢を、支柱を用いて上下方向に積層した多段積層用の飾り鉢ユニットが開示されている（例えば、特許文献１参照）。この飾り鉢ユニットでは、上下方向に伸長する支柱と、支柱に貫通させるための貫通孔が形成された複数の植木鉢と、支柱を貫通する筒形状を有して上段及び下段で隣り合う植木鉢の間に配置されるスペーサとを備える。この構成により、広いスペースを要することなく数多くの植物を屋内などの様々な空間に配置でき、施工性・作業性が良く、且つデザインの自由度・ディスプレイ性の高い新しいタイプの花飾りを実現できる。
【先行技術文献】
【特許文献】
【０００４】
【特許文献１】特許第6025279号公報
【考案の概要】
【考案が解決しようとする課題】
【０００５】
ところで、上記特許文献１に示すような多段積層用の飾り鉢ユニット（以下、多段積層植木鉢と記載）は、通常、天井面より吊下げて利用することを想定している。このため、この多段積層植木鉢を屋内の床面や屋外の地面に飾るには専用の吊下げ用装飾器材が必要とされるが現状そのための専用器材がないという問題がある。
【０００６】
また、多段積層植木鉢の吊下げ用装飾器材は、軽量且つ分解可能で簡単に持ち運びができると共に、複雑な組み立て作業を要しないことが望ましい。さらに、単に多段積層植木鉢を吊下げるだけではなく、その他のディスプレイ性の高い花飾りを実現する部分を有することが好ましい。
【０００７】
本考案は、上記課題に鑑みてなされたものであり、支柱を用いて複数の植木鉢を上下方向で多段積層植木鉢を吊下げることができ、持ち運びや組み立てが容易で、且つディスプレイ性の高い多段積層植木鉢の吊下げ用装飾器材を提供することを目的とする。
【課題を解決するための手段】
【０００８】
上記目的を達成するために本考案は、多段積層植木鉢の吊下げ用装飾器材は、台座部と、下端が前記台座部に着脱可能に接続されて垂直方向に伸長する複数の柱状体と、前記柱状体の上端側に着脱可能に接続される屋根部と、を備え、前記屋根部は、複数の植木鉢を上下方向で多段に積層した多段積層植木鉢を係止可能とする構造を有し、前記台座部には、植栽可能な植栽スペースが形成されることを特徴とする。
【考案の効果】
【０００９】
本考案に係る多段積層植木鉢の吊下げ用装飾器材は、台座部と、下端が前記台座部に着脱可能に接続されて垂直方向に伸長する複数の柱状体と、前記柱状体の上端側に着脱可能に接続される屋根部と、を備え、前記屋根部は、複数の植木鉢を上下方向で多段に積層した多段積層植木鉢を係止可能とする構造を有し、前記台座部には、植栽可能な植栽スペースが形成される。この構成により、本考案は、支柱を用いて複数の植木鉢を上下方向で多段積層植木鉢を吊下げることができ、持ち運びや組み立てが容易で、且つディスプレイ性の高い多段積層植木鉢の吊下げ用装飾器材となる。
【図面の簡単な説明】
【００１０】
【図１】本考案の実施の形態に係る多段積層植木鉢の吊下げ用装飾器材の斜視図である。
【図２】同上吊下げ用装飾器材の使用状態を示す参考写真図である。
【図３】同上吊下げ用装飾器材の分解状態を示す参考写真図である。
【図４】同上吊下げ用装飾器材の使用状態を示す参考写真図である。
【考案を実施するための形態】
【００１１】
（実施の形態）
本考案の実施の形態に係る多段積層植木鉢の吊下げ用装飾器材（以下、装飾器材と記載）について図面を参照して説明する。この装飾器材は、支柱を用いて複数の植木鉢を上下方向で多段に積層できる多段積層植木鉢を吊下げるための専用器材であって、この装飾器材を用いることで屋外のみでなく屋内の床面、地面や路面に数多くの植物を美しく飾ることができる。
【００１２】
最初に、図１及び図２を参照して、本実施の形態に係る装飾器材１の組み立て後の全体構造に関して説明する。図１に示すように、装飾器材１は、（地面や床面に設置される）台座部２と、下端側が台座部２に着脱可能に接続されて垂直方向に伸長する複数の柱状体３と、柱状体３の上端側に着脱可能に接続される屋根面４と、を備える。台座部２には、植栽可能な植栽スペースＳが形成されている。柱状体３は垂直方向に伸長して中空部を有する角筒形状の支柱である。なお、装飾器材１は高さ1.9ｍ程度と高く直立し、水平断面が四角形状を有し、且つ上方に向かって狭まった形状を有することからオベリスクタイプと呼ぶこともある。また、台座部２の形状は水平断面が四角形状に限定されるものではなく、六角形状、円形状などその他の形状でも良い。
【００１３】
屋根部４には、複数の植木鉢を上下方向で多段に積層した多段積層植木鉢が係止される。本実施の形態において屋根部４は、おおよそ四角錘形状をした骨組み４１と、三角形状の屋根面４２と、その頂部の内側に接続されたアイボルト４３（フックであれば良い）とが溶接、ねじ込み方式などで一体化されている。このアイボルト４３には、例えばＳ字フック５を介して、図２に示すような支柱を用いて複数の植木鉢を上下方向で多段に積層した多段積層植木鉢６が着脱可能に係止される。この多段積層植木鉢６は、例えば支柱、植木鉢及びスペーサを備え、植木鉢及びスペーサを上下に伸長する支柱に通すことで、支柱と植木鉢とスペーサとを一体化して用いる。なお、多段積層植木鉢６の詳細な構造に関しては上記特許文献１に詳細に記述されている。
【００１４】
次に、図３を参照して、装飾器材１の組み立て前の構造に関して説明する。台座部２は、地面又は床面に設置される底面２１と、底面２１の各頂点から立設されて柱状体３の下側に形成された開口に挿入される突状部２２と、底面２１の各辺から立設された複数の側壁２３と、を備える。ここでは側壁２３は例えば15〜20ｃｍ程度の高さとなる。この構造により、装飾器材１はネジなどの部品を用いないで非常に容易に組み立てることができる。
【００１５】
植栽スペースＳは、少なくとも底面２１と側壁２３とに囲まれた空間であって、図４に示すように、保水スポンジ（例えばオアシス（登録商標）など）を用いてフラワーアレンジメントされた切り花を設置しても良いし、図２に示すように、植木鉢をそのまま載置することも可能である。本実施の形態に係る装飾器材１では、植栽スペースＳを備えることにより、吊下げられた多段積層植木鉢６のみでなく、床面や地面側においても植物を配置して、よりディスプレイ性の高い花飾りを実現できる。
【００１６】
以上のように、本実施の形態に係る装飾器材１は、台座部２と、下端が台座部２に着脱可能に接続されて垂直方向に伸長する複数の柱状体３と、柱状体３の上端側に着脱可能に接続される屋根部４と、を備える。屋根部４は、複数の植木鉢を上下方向で多段に積層した多段積層植木鉢６を係止可能とする構造を有し、台座部２には、植栽可能な植栽スペースＳが形成される。
【００１７】
この構成により、装飾器材１は、支柱を用いて複数の植木鉢を上下方向で多段積層植木鉢６を吊下げることができ、持ち運びや組み立てが容易で、且つディスプレイ性の高いものとなる。
【００１８】
すなわち、装飾器材１を用いることで、比較的サイズの大きな多段積層植木鉢６を転倒させることなく、屋外や屋内の様々な場所に容易に展示することが可能となる。また、装飾器材１の台座部２が植栽スペースＳを備えることで、この植栽スペースＳにおいても様々な植物を載置できる。この結果、屋内及び屋外の様々な空間に、広いスペースを要することなく数多くの植物を、多段積層植木鉢６のみでなく台座部２側の植栽スペースＳを利用して植物をアレンジでき、デザインの自由度・ディスプレイ性の高い花飾りを実現できる。例えば、装飾器材１を例えば道路脇の路面などに複数並設して、より効果的に街を花緑で装飾できる。
【００１９】
また、装飾器材１を成す台座部２、柱状体３、及び屋根部４は着脱可能であるため各部材は軽量であり、持ち運び易く作業性が良い。さらに、多段積層植木鉢６を用いることで、枯死した植物の入れ替えも、植木鉢に載置された植物を交換するのみで対応でき、極めて容易である。
【００２０】
なお、本考案は、上記実施の形態の構成に限られず、考案の趣旨を変更しない範囲で種々の変形が可能である。例えば、柱状体３の高さを自在に調整可能ことも考え得る。また、屋根部４の多段積層植木鉢６の吊下げ構造はアイボルト４３に限定されるものではなく、針金などその他の部材を用いても良い。
【符号の説明】
【００２１】
１  多段積層植木鉢の吊下げ用装飾器材
２  台座部
３  柱状体
４  屋根部
５  Ｓ字フック
６  多段積層植木鉢
２１  底面
２２  突起部
２３  側壁
４３  アイボルト
Ｓ  植栽スペース
【図１】
0003232590.tif 000003
【図２】
0003232590.tif 000004
【図３】
0003232590.tif 000005
【図４】
0003232590.tif 000006